(57)【特許請求の範囲】
【請求項１】
２つの端部を有する少なくとも１つの把持手段（１．１；２．１；５．１）と、
前記把持手段（１．１；２．１；５．１）の第１端部（１．２．１．１；２．２．１．１）に固定されるコア（１．２．１；２．２．１；３．２．１；５．２．１）を有するブラシ（１．２；２．２；３．２；５．２）と、
前記コア（１．２．１；２．２．１；３．２．１；５．２．１）に植え込まれた複数の剛毛（１．２．２；２．２．２；４．２．２）とを具備してなり、
少なくとも長さ方向の実質的な部分において、前記コアは、ほぼ閉じた曲線（１．２．１．３；２．２．１．３；５．２．１．３）を描いており、該ほぼ閉じた曲線が、前記ブラシの開口（１．２．１．５；５．２．１．５）を形成する２つの端部（１．２．１．２；１．２．１．４；２．２．１．２；２．２．１．４）を有しており、かつ、
前記２つの端部は、距離ｄだけ離れており、
前記ほぼ閉じた曲線は、ｄよりも大きな幅Ｄを有していることを特徴とする、ケラチン繊維の処理および／またはケラチン繊維のメーキャップのための装置。
【請求項２】
ｄ＜Ｄ、好ましくは、ｄ＜２Ｄ／３、より好ましくは、ｄ＜Ｄ／２であることを特徴とする請求項１記載の装置。
【請求項３】
前記ほぼ閉じた曲線（１．２．１．３；２．２．１．３；５．２．１．３）は、１つの平面内に含まれることを特徴とする請求項１又は２に記載の装置。
【請求項４】
前記ほぼ閉じた曲線（１．２．１．３；２．２．１．３；５．２．１．３）は、１つの対称な軸（ＸーＸ）を有していることを特徴とする請求項１から３までのうちいずれか１項に記載の装置。
【請求項５】
前記対称な軸（ＸーＸ）は、前記開口（１．２．１．５；５．２．１．５）に、ほぼ垂直であることを特徴とする請求項４に記載の装置。
【請求項６】
前記ほぼ閉じた曲線（１．２．１．３）は、１つの対称中心を有することを特徴とする請求項１から５までのうちいずれか１項に記載の装置。
【請求項７】
前記ほぼ閉じた曲線（１．２．１．３）は、円弧の形状をしていることを特徴とする請求項６に記載の装置。
【請求項８】
前記コア（１．２．１；２．２．１；３．２．１；５．２．１）は、金属製のワイヤーの２本の分枝を螺旋状に巻くことにより形成され、剛毛（１．２．２；２．２．２；４．２．２）が前記コアに放射状に植え込まれ、かつ、これらの巻かれている分枝の間に把持されていることを特徴とする請求項１から７までのうちいずれか１項に記載の装置。
【請求項９】
前記コア（１．２．１；２．２．１；３．２．１；５．２．１）は、熱可塑性の材料により形成され、前記剛毛（１．２．２；２．２．２；４．２．２）は、前記コアにフロック加工により固定されていることを特徴とする請求項１から６までのいずれか１項に記載の装置。
【請求項１０】
前記把持手段（１．１）は、人間工学的なへこみ（１．１．１）を有していることを特徴とする請求項１から６までのうちいずれか１項に記載の装置。
【請求項１１】
染髪クリームを収容した貯蔵室（７２０）と、この貯蔵室に設けられるとともに柔軟かつ変形可能な材料から形成されたワイパー（７２１）と、アプリケーション部材（７３０）を有し前記貯蔵室（７２０）に係合するように形成されたアプリケータ（７６０）とを具備し、
前記アプリケーション部材は、請求項１から１０までのうちのいずれか１項に記載の装置であることを特徴とする染髪用装置。
【請求項１２】
毛髪用の、ケア製品、メーキャップ製品、染色用又は漂白用の製品を塗るための、請求項１から１１までのいずれか１項に記載の装置。
【請求項１３】
液状から糊状までの粘性を有する製品を塗布するための、請求項１から１１までのいずれか１項に記載の装置。
【発明の詳細な説明】
【０００１】
【発明の属する技術分野】
本発明は、ケラチン繊維の処理および／またはメーキャップのための新規な装置に関するものであり、より詳細には、ケラチン繊維の染色および／または漂白のための装置に関するものである。
【０００２】
【従来の技術】
毛髪のふさを染めるための通常の方法は、櫛の歯部の間に植え込まれた剛毛を備えた、その櫛における平坦なブラシの端部を用いる方法である。
【０００３】
このような装置にも欠点が無いわけではない。毛髪のふさの製品による染み込みにはムラがあり、ブラシの方向によって影響される。このムラを修正するように毛髪のふさを処理するためには、ブラシを数ストロークにわたって用いる必要がある。それにもかかわらず、この修正は常に完全というわけではない。特に、上記の方法では、過剰な製品の付着の問題、及び、その結果として製品がこぼれるという問題が生じる。従って、穴が備えられている帽子（ｃａｐ）を被る必要があった。帽子の穴は、製品が皮膚に付着するのを確実に防ぐために、製品が塗られるべき毛髪のふさを、その穴を通して引っ張るためのものである。
【０００４】
【発明が解決しようとする課題】
本発明が解決すべき課題は、毛髪のふさに製品を塗ることができるような装置を提供することである。この装置は、限られたストローク回数で毛髪のふさの全体に製品を均一に塗ることができるようにするものである。好ましくは、毛髪のふさに沿って装置を単一回ストロークするだけで、製品を塗ることができるようにするものである。このような装置を用いれば、過剰な製品の付着がなくなるであろう。このことは、経済的な観点からみて有利であるとともに、製品が皮膚に付着することをも防止する。従って、帽子を被る必要が無くなる。
【０００５】
【課題を解決するための手段】
本発明は、ケラチン繊維の処理および／またはメーキャップのための装置を提供することを目的とする。
【０００６】
上記の装置は、以下のものを具備している。
２つの端部を有する少なくとも１つの把持手段と該把持手段の第１端部に取り付けられたコアと、該コアに植え込まれた複数の剛毛とを具備している。この装置は、その長さ方向の少なくとも実質的な部分に対しては、前記コアが、ほぼ閉じた曲線（閉曲線）を描いていることを特徴としている。
【０００７】
前記閉じた曲線は、ブラシのコアの長さ方向の少なくとも実質的な部分にわたって延びている。毛髪に対してブラシが移動する間ずっと、ループの内側に毛髪のふさを保持するようになっている。従って、ブラシが移動する経路において、毛髪は、ブラシから離脱しない。毛髪が係合から離脱すると、指で毛髪を整える必要が生じるであろう。毛髪が処理製品又はメーキャップ製品によって被覆されている時には、毛髪を整える工程は、好ましくない。
【０００８】
「ほぼ閉じた曲線（ａｌｍｏｓｔ  ｃｌｏｓｅｄ  ｃｕｒｖｅ）」という表現は、距離ｄだけ離れた２つの端部を有する曲線みらのらからであり、かつ、この曲線には、それに属する２点間のうち最長距離として定義され、かつ、ｄよりも広い幅Ｄを有していることを示している。この曲線は、好ましくは、ｄ＜Ｄ、より好ましくはｄ＜２Ｄ／３によって特徴づけられるものである。
【０００９】
この曲線は、さらに好ましくは、ｄ＜Ｄ／２、さらに好ましくはｄ＜Ｄ／３によって特徴付けされるものである。
【００１０】
ほぼ閉じた曲線は、湾曲していてもよく、或は、角部を有していてもよい。さらに、ほぼ閉じた曲線は、厳密には凸状の空間を有していてもよく、或いは、凹所を有していてもよい。
【００１１】
好ましくは、ほぼ閉じた曲線は、１つの平面内に含まれていてもよい。
【００１２】
ほぼ閉じた曲線の両端部は、ブラシの開口に対応するセグメント（ｓｅｇｍｅｎｔ）を形成している。
【００１３】
ほぼ閉じた曲線は、例えば円弧のように、対称中心を有していてもよい。ほぼ閉じた曲線は、対称軸を有していてもよい。好ましくは、ほぼ閉じた曲線が対称軸を有している場合には、この対称軸は、前記開口にほぼ垂直である。
【００１４】
曲線の第１の端部において、ほぼ閉じた曲線は、直接に、或は、コアのセグメントを介して、把持手段に連結されている。このセグメントは、直線的であってもよいし、曲がっていてもよい。コアは、その第１端部において、把持手段に対して任意の角度に形成可能である。前記セグメントをフレキシブルに形成することもできる。これにより、使用者は、ほぼ閉じた曲線を、当該毛髪のふさの位置に適した位置に置くことができる。
【００１５】
コアの第２端部は、ほぼ閉じた曲線の第２端部と一致していてもよい。しかしながら、コアの第２端部には、コアのセグメントが続いていてもよい。ほぼ閉じた曲線の端部に存在する可能性のあるコアのセグメントは、線に平行でも良いし、或いは、外に向かって開いていてもよい。
【００１６】
コアは、金属製のワイヤーの２つの分枝を螺旋状に曲げることにより形成されてもよい。コアには、放射状に埋め込まれ、かつ、前記の曲がりくねった分枝の間にしっかりとかみ合わされた剛毛が設けられている。所望の結果物いかんによって、剛毛の密度と直径を変化させてもよい。弾性的であるとか、低摩擦性であるとか、或は、毛細管状の溝を備えているとか、異なる性質の剛毛を用いることができる。
【００１７】
コアは、熱可塑性の材料で形成されていてもよく、従って、好ましくは、射出成形により成形される。剛毛は、当該コアにフロック加工により取り付けられる。
【００１８】
上記のような装置は、以下のようにして用いられる。
塗られるべき製品を含む容器にブラシを浸し、製品がブラシに染み込む。このブラシに適した拭き取り装置を提供することができる。しかしながら、容器の口部を越えてブラシを単に引き抜くことにより、過剰な製品は取り除かれるであろう。もしそのように望めば、毛髪のふさに製品を塗るために、従来型のブラシを用いて行われているのと同じ方法でブラシの外側を用いることもできる。
【００１９】
毛髪のふさを、ブラシの開口を通して差し込むこともできる。このようにすれば、毛髪のふさをループの内側に位置させるとともに、剛毛が、毛髪のふさの内部に入るように貫通するであろう。
【００２０】
次いで、ブラシは、毛髪に沿って前後に移動できる。任意的に、毛髪の周りの回転運動を伴うこともできる。次いで、毛髪のふさは、端から端まで、均等に処理される。製品は、従来技術における装置を用いるよりも、より正確な量で用いることができ、かつ、より良く分布させることができる。
【００２１】
そのような装置は、好ましくは、毛髪用のケア製品・メーキャップ用製品・染髪用製品又は漂白用製品を塗るものである。
【００２２】
【発明の実施の形態】
本発明をより良く理解するために、添付図面を参照しつつ、例示的に示された実施の形態について以下に説明する。
図１、図２、図３、図４、図５及び図６は、本発明の装置の側面図である。簡単のために、図２、図３、図４、図５及び図６においては、把持部材についてはその一部のみが示されている。図７から図１０までは、本発明の装置の動作を示す斜視図である。図１１は、断面三角形のブラシを有する、本発明の装置の斜視図である。簡単のために、把持部材についてはその一部のみが示されている。図１２は、染料用製品を塗るための、完成した装置の断面図である。
【００２３】
図１に示されている装置は、直線的な把持部材（ハンドル）１．１を有しており、このハンドルには、人間工学的なへこみ１．１．１とブラシ１．２とが設けられている。このブラシ１．２は、２本のより合わされた金属製ワイヤーのストランド（図示せず）からなるコア１．２．１を有している。コアには、放射状に植え込まれた剛毛１．２．２が設けられ、かつ、剛毛は、これらの巻かれた分枝の間に把持されている。ハンドルの端部１．１．２に留められているのは、コア１．２．１の第１端部１．２．１．１である。この第１端部１．２．１．１の近傍において、コアは、ほぼ閉じた角度を形成する第１の丸められた屈曲部１．２．１．２を有している。それに続いて、コアは、円弧の形状の、１つの平面内に含まれる（ｉｎｓｃｒｉｂｅｄｗｉｔｈｉｎ  ａ  ｐｌａｎｅ）ほぼ閉じた曲線１．２．１．３を描いている。コアは、第２の丸められた屈曲部１．２．１．４において終端している。２つの屈曲部間に位置する領域は、曲線１．２．１．３の開口を形成している。開口の幅ｄは、円弧１．２．１．３の直径Ｄの２／３以下である。曲線１．２．１．３の開口よりも先の領域は、張り出しており、曲線１．２．１．３中に毛髪を導入しやすいようになっている。距離Ｄは、曲線１．２．３．１の平面内に位置する軸に沿って、かつ、前記曲線のＸーＸ軸に垂直に測られる。  ＸーＸ軸は、前記曲線１．２．３．１の開口のほぼ中心を通過する。
【００２４】
図２に示される装置は、図１に示される装置と、第１の屈曲部２．２．１．２がほぼ直角であり、かつ、閉じられていないという点で区別できる。ブラシ２．２のコア２．２．１は、曲線２．２．１．３を描くとともに、ＸーＸ軸に沿って延長され、かつ、ＸーＸ軸に対して対称になっている。  ＸーＸ軸は、ハンドル２．１の軸ＹーＹに対してほぼ垂直とされる。曲線２．２．１．３は、第２の丸められた屈曲部２．２．１．４において終端している。
【００２５】
本発明の他の変形例としては、ブラシ２．２は、図３に示されるように、細長い曲線２．２．１．３を描いており、軸ＸーＸ周りに対称であってもよい。軸ＸーＸは、ハンドル２．１の軸ＹーＹに平行である。
【００２６】
図４は、本発明の他の変形例を示している。ここに示されている装置は、
ＸーＸ軸周りに対称な細長い曲線２．２．１．３を形成している。この軸は、ハンドルの軸ＹーＹに対して任意の角度αを成している。例示すれば、角度αは、１５°から４５°の間である。
【００２７】
図５の装置は、図２の装置とは、第２端部３．２．１．４においてブラシ３．２のコア３．２．１の曲線３．２．１．３が曲がるようにして終端してはおらず、曲線３．２．１．３の軸ＸーＸに沿って直線的な部分で終端している点で異なっている。
【００２８】
図６の装置は、図２の装置とは、剛毛４．２．２の長さが、剛毛２．２．２の長さよりも非常に長い点で異なっている。そのような装置は、特に、毛髪のふさの内部に製品を浸透させるのを助ける。
【００２９】
図７は、上述の装置５を示している。この装置は、ブラシ５．２と、使用者がより便利に保持できるように設計された部分５．１．１を有するハンドル５．１とを具備している。ブラシ５．２は、製品Ｐ中に浸される。この製品Ｐは、好ましくは、液体状からのり状の粘性を有しており、ボウル中又は他の窪んだ容器Ｒ中に浸されている。ブラシ５．２には、製品Ｐが染み込むようになっている。
【００３０】
図８に示されるように、ブラシ５．２は、次いで容器Ｒの口部ｒに擦り付けられて拭かれる。
【００３１】
図９において、使用者は一方の手の指と指との間に毛髪のふさＭを保持し、他方の手の指と指との間でハンドル５．１を保持する。ブラシ５．２の背部５．２．３は、毛髪Ｍのふさに当てられ、毛髪を製品で満たす。この塗布の工程には、垂直方向の移動が伴い、毛髪のふさの全長にわたって、沿うように製品が付着されるのを促進する。
【００３２】
図１０においては、使用者は、毛髪Ｍを開口５．２．１．５を通して、ブラシ５．２のコア５．２．１によって描かれる、ほぼ閉じた曲線５．２．１．３中に導入する。使用者は、次いで、矢印ｆ１及び／またはｆ２で示されるような円形状にブラシ５．２を毛髪に沿って走らせる。
【００３３】
本発明による装置には、通常、円形の断面のブラシが設けられている。換言すれば、コアに垂直な任意の面によるブラシの断面は、円板状である。しかしながら、本発明による装置は、非円形の断面のブラシを具備することも可能である。これについては、図１１に示されている。この図で、三角形の断面６．２．３のブラシ６．２を備えた装置が示されている。本発明の他の変形例では、ブラシは、楕円形の断面、正方形の断面、又はひし形の断面を有するようにすることもできる。
【００３４】
ブラシの断面の形状を、コアの長さ方向に沿って変化させることも可能である。
【００３５】
図１２に示される染髪用の装置は、ボウル７４０から成る貯蔵室７２０を具備している。ボウルは、そこに固定されている窪んだ形状のカバー７５０を有し、第１のすなわち外側の縁部７５１と、第２のすなわち内部の縁部７５２と、ネジ筋が付けられた首部７５３とを具備している。ボウル７４０は、公知の手段（スナップ止め）によってカバー７５０の外側の縁部７５１に固定されている。貯蔵室７２０は、染髪クリーム７１５で満たされている。首部７５３の上には、アプリケータ７６０の一部を形成するキャップに似たハンドル７２３によって支持されるシール７２５が置かれている。貯蔵室７２０は、その上端部と首部７５３の開口とに、ワイパー７２１を有している。このワイパーは、カバー７５０の第２縁部７５２中の環状のフランジによってその位置に保持される。公知のように、ワイパー７２１は、柔軟性があり、かつ、変形可能な材料により形成されている。アプリケータ７６０は、貯蔵室７２０に係合するように形成され、かつ、ハンドル部材７２３を含むように形成されている。ハンドル部材７２３には、アプリケーション部材７３０が取り付けられており、このアプリケーション部材は、ロッド７２２とアプリケータ部材７０１とを有している。このアプリケータ部材は、前図に示されているものと類似のものである。ハンドル部材７２３は、ネジすじ７２３ａを有しており、このネジすじは、カバー７５０の首部７５３のネジすじ７５３ａと係合する。貯蔵室７２０は、カバー７５０の首部７５３上にある把持手段７２３を下方にねじることによって、シール材７２５によりシールされる。
【図面の簡単な説明】
【図１】本発明の一実施の形態として示した装置の側面図である。
【図２】本発明の一実施の形態として示した装置の側面図である。
【図３】本発明の一実施の形態として示した装置の側面図である。
【図４】本発明の一実施の形態として示した装置の側面図である。
【図５】本発明の一実施の形態として示した装置の側面図である。
【図６】本発明の一実施の形態として示した装置の側面図である。
【図７】本発明の一実施の形態として示した装置の動作を示す斜視図である。
【図８】本発明の一実施の形態として示した装置の動作を示す斜視図である。
【図９】本発明の一実施の形態として示した装置の動作を示す斜視図である。
【図１０】本発明の一実施の形態として示した装置の動作を示す斜視図である。
【図１１】本発明の一実施の形態として示した装置の斜視図である。
【図１２】染髪用製品を塗るための完成した装置の断面図である。
【符号の説明】
１．１；２．１；５．１・・・把持手段
１．２．１．１；２．２．１．１・・・第１端部
１．２．１；２．２．１；３．２．１；５．２．１・・・コア
１．２；２．２；３．２；５．２・・・ブラシ
１．２．２；２．２．２；４．２．２・・・剛毛
１．２．１．５；５．２．１．５・・・開口
【図１】
0003554197.tif 000002
【図２】
0003554197.tif 000003
【図３】
0003554197.tif 000004
【図４】
0003554197.tif 000005
【図５】
0003554197.tif 000006
【図６】
0003554197.tif 000007
【図７】
0003554197.tif 000008
【図８】
0003554197.tif 000009
【図９】
0003554197.tif 000010
【図１０】
0003554197.tif 000011
【図１１】
0003554197.tif 000012
【図１２】
0003554197.tif 000013